(57)【特許請求の範囲】
【請求項１】
車両用検知装置であって、
車両内に設置され、電波を送信するための送信アンテナと、
前記車両内に設置され、前記電波を受信するための受信アンテナと、
前記受信アンテナが受信した前記電波に基づいて空間特徴量を算出し、算出した前記空間特徴量に基づいて前記車両の外部における人間の動作および前記車両の内部への人間の侵入動作を検知するための異常検知演算部と、を備え、
前記車両用検知装置は、前記車両内において前記送信アンテナの周りに配置された複数の前記受信アンテナを備え、
前記異常検知演算部は、複数の前記受信アンテナにおいて受信された前記電波に基づいて前記空間特徴量を算出し、算出した前記空間特徴量に基づいて前記車両への人間の接近方向を検知する、車両用検知装置。
【請求項２】
前記受信アンテナは、前記車両内の天井に設置される、請求項１に記載の車両用検知装置。
【請求項３】
前記送信アンテナは、前記車両内の天井に設置される、請求項１または請求項２に記載の車両用検知装置。
【請求項４】
前記受信アンテナは、指向性アンテナである、請求項１から請求項３のいずれか１項に記載の車両用検知装置。
【請求項５】
前記車両用検知装置は、４つの前記受信アンテナを備え、
前記４つの受信アンテナは、前記車両における、右前方、右後方、左前方および左後方にそれぞれ設置される、請求項１から請求項４のいずれか１項に記載の車両用検知装置。
【請求項６】
前記車両用検知装置は、４つの前記受信アンテナを備え、
前記４つの受信アンテナは、前記車両における、前方であって左右方向略中央、後方であって左右方向略中央、右側であって前後方向略中央および左側であって前後方向略中央にそれぞれ設置される、請求項１から請求項４のいずれか１項に記載の車両用検知装置。
【請求項７】
前記異常検知演算部は、算出した各前記空間特徴量に基づいて、前記車両における、前方、後方、右側方または左側方のいずれに人間が存在するかを判別する、請求項５または請求項６に記載の車両用検知装置。
【請求項８】
前記車両用検知装置は、さらに、
前記異常検知演算部が前記人間の動作を検知した場合には、光による警告を行うための警告部を備える、請求項１から請求項７のいずれか１項に記載の車両用検知装置。
【請求項９】
前記車両用検知装置は、さらに、
前記車両の外部から目視可能であり、かつ前記車両の互いに異なる位置に複数設置される警告灯の点灯を制御するための警告部を備え、
前記警告部は、複数の前記警告灯のうち、前記異常検知演算部が前記人間の動作を検知した電波の受信アンテナに対応する前記警告灯を点灯させる、請求項５から請求項７のいずれか１項に記載の車両用検知装置。
【請求項１０】
前記異常検知演算部は、検知した人間の動作が所定の条件を満たす場合には、前記車両用検知装置において所定の電波の受信が検知されている場合を除き、前記人間は不審者であると判定する、請求項１から請求項９のいずれか１項に記載の車両用検知装置。
【請求項１１】
前記車両用検知装置は、さらに、前記車両の照明の点灯を制御するための照明制御部を備え、
前記照明制御部は、前記車両用検知装置において所定の電波の受信が検知されている場合には、前記照明を点灯させる、請求項８から請求項１０のいずれか１項に記載の車両用検知装置。
【請求項１２】
前記異常検知演算部は、人間の動作を検知した状態が所定時間以上継続した場合には、前記人間は不審者であると判定する、請求項１から請求項１１のいずれか１項に記載の車両用検知装置。
【請求項１３】
前記異常検知演算部は、連続して複数の前記受信アンテナについて人間の動作を検知した場合には、前記人間は不審者であると判定する、請求項１から請求項１２のいずれか１項に記載の車両用検知装置。
【請求項１４】
前記異常検知演算部は、複数の前記受信アンテナのうち、第１の受信アンテナについて人間の動作を検知した後に、第２の受信アンテナについて人間の動作を検知し、その後再び、前記第１の受信アンテナについて人間の動作を検知した場合には、不審者を検知したと判断する、請求項１３に記載の車両用検知装置。
【請求項１５】
前記異常検知演算部は、同一の前記受信アンテナについて人間の動作を検知した状態が所定時間以上継続した場合には、前記人間は不審者であると判定する、請求項１から請求項１４のいずれか１項に記載の車両用検知装置。
【請求項１６】
前記異常検知演算部は、算出した前記空間特徴量が小さい場合には、前記車両の外部において人間の動作があったと判断し、算出した前記空間特徴量が大きい場合には、人間の前記車両内への侵入動作があったと判断する、請求項１から請求項１５のいずれか１項に記載の車両用検知装置。
【請求項１７】
車両内に設置される送信アンテナおよび受信アンテナを備える車両用検知装置における異常検知方法であって、
前記送信アンテナから電波を送信するステップと、
前記受信アンテナにおいて前記電波を受信するステップと、
前記受信アンテナにおいて受信された前記電波に基づいて空間特徴量を算出するステップと、
算出した前記空間特徴量に基づいて前記車両の外部における人間の動作および前記車両の内部への人間の侵入動作を検知するステップと、を含み、
前記車両用検知装置は、前記車両内において前記送信アンテナの周りに配置された複数の前記受信アンテナを備え、
前記空間特徴量を算出するステップにおいては、複数の前記受信アンテナにおいて受信された前記電波に基づいて前記空間特徴量を算出し、
前記検知するステップにおいては、算出した前記空間特徴量に基づいて前記車両への人間の接近方向を検知する、異常検知方法。
【請求項１８】
車両内に設置される送信アンテナおよび受信アンテナを備える車両用検知装置おいて用いられる異常検知プログラムであって、コンピュータに、
前記送信アンテナから電波を送信するステップと、
前記受信アンテナにおいて前記電波を受信するステップと、
前記受信アンテナにおいて受信された前記電波に基づいて空間特徴量を算出するステップと、
算出した前記空間特徴量に基づいて前記車両の外部における人間の動作および前記車両の内部への人間の侵入動作を検知するステップと、を実行させるためのプログラムであり、
前記車両用検知装置は、前記車両内において前記送信アンテナの周りに配置された複数の前記受信アンテナを備え、
前記空間特徴量を算出するステップにおいては、複数の前記受信アンテナにおいて受信された前記電波に基づいて前記空間特徴量を算出し、
前記検知するステップにおいては、算出した前記空間特徴量に基づいて前記車両への人間の接近方向を検知する、異常検知プログラム。
【発明の詳細な説明】
【技術分野】
【０００１】
本発明は、車両用検知装置、異常検知方法および異常検知プログラムに関し、特に、空間特徴量を用いて人間の動作を検知する車両用検知装置、異常検知方法および異常検知プログラムに関する。
【背景技術】
【０００２】
室内等の所定エリアにおいて、人の動作を検知する侵入検知装置が開発されている。侵入検知方法の一例として、たとえば、「ＵＷＢ−ＩＲによる屋内侵入者検知に関する検討」寺阪圭司  他、電子情報通信学会論文誌B、第J90-B巻、第1号、pp.97-100、2007年1月1日（非特許文献１）には、ＵＷＢ−ＩＲ（Ultra WideBand-Impulse Radio）による伝搬遅延プロファイルすなわち電力遅延プロファイルを用いる方法が開示されている。
【０００３】
しかしながら、非特許文献１に記載の方法では、広帯域の信号を用いることから他の無線サービスとの干渉が問題となり、また、受信信号の電力を用いることから屋内におけるマルチパスフェージングの影響を受け、検出精度が劣化する場合がある。
【０００４】
このような問題点を解決するための技術として、たとえば、特開２００８−２１６１５２号公報（特許文献１）には、以下のような構成が開示されている。すなわち、イベント検出装置は、各アレイアンテナの受信信号に基づいて固有ベクトルすなわち到来角分布を計算し、当該固有ベクトルと、比較基準となる平時の固有ベクトルとの内積値を計算する。そして、イベント検出装置は、この内積値と所定の閾値との比較結果に基づいて、イベントの発生すなわち侵入者の検知を行なう。
【０００５】
また、人の動作を検知して車両に異常が発生したことを警報する車両用検知装置の一例として、たとえば、車両に超音波センサを搭載し、犯罪者がガラスを割って車内に侵入した場合など、車両に異常が発生したことを検知してサイレンを鳴らす技術が開示されている（非特許文献２）。
【先行技術文献】
【非特許文献】
【０００６】
【非特許文献１】「ＵＷＢ−ＩＲによる屋内侵入者検知に関する検討」寺阪圭司  他、電子情報通信学会論文誌B、第J90-B巻、第1号、pp.97-100、2007年1月1日
【非特許文献２】“日産純正セキュリティシステム”、［online］、［平成23年8月10日検索］、インターネット〈URL：http://www.nissan.co.jp/OPTIONAL-PARTS/SECURITY/security01.html〉
【特許文献】
【０００７】
【特許文献１】特開２００８−２１６１５２号公報
【発明の概要】
【発明が解決しようとする課題】
【０００８】
しかしながら、非特許文献２に記載の技術では、気体中において減衰しやすい超音波を使用しているため、車両外の人間の動きを検知することができず、車両が被害を受けるまで異常の発生を検知することができないという問題があった。
【０００９】
この発明は、上述の課題を解決するためになされたもので、その目的は、車両が被害を受ける前に異常の発生を検知して被害を未然に防ぎ、かつ、車両内外における異常を的確に検知することが可能な車両用検知装置、異常検知方法および異常検知プログラムを提供することである。
【課題を解決するための手段】
【００１０】
（１）上記課題を解決するために、この発明のある局面に係わる車両用検知装置は、車両内に設置され、電波を送信するための送信アンテナと、上記車両内に設置され、上記電波を受信するための受信アンテナと、上記受信アンテナが受信した上記電波に基づいて空間特徴量を算出し、算出した上記空間特徴量に基づいて上記車両の外部における人間の動作および前記車両の内部への人間の侵入動作を検知するための異常検知演算部と、を備える。
【００１１】
このような構成により、車両が被害を受ける前に異常の発生を検知して被害を未然に防ぎ、かつ、車両内外における異常を的確に検知することができる。たとえば、犯罪者が車両に対して犯罪行為を開始する前に、犯罪者の車両への接近を検知することができるため、犯罪行為が行われる前に犯罪者に威嚇をして犯罪行為をあきらめさせるなど、犯罪を未然に抑制することができる。
【００１２】
また、たとえば車両のドアの開閉または車両の窓ガラスの破損などを検知することができるため、車両に異常が発生したことを早期に所有者または警備会社等に通報することができる。
【００１３】
（２）より好ましくは、上記車両用検知装置は、複数の上記受信アンテナを備え、上記異常検知演算部は、複数の上記受信アンテナにおいて受信された上記電波に基づいて上記空間特徴量を算出し、算出した上記空間特徴量に基づいて上記車両への人間の接近方向を検知する。
【００１４】
このような構成により、たとえば３本以上の受信アンテナを設置する場合、異常検知演算部は２本の受信アンテナの組み合わせごとに空間特徴量を算出し、車両の内外の人間の動作を検知することができるため、受信アンテナの組み合わせに対応する受信エリアを、人間の動作が検知されたエリアとして特定することができる。
【００１５】
また、インパルス応答等、送信アンテナが帯域幅を持つ電波を送信する場合には、異常検知演算部は各受信アンテナが受信した電波ごとに空間特徴量を算出することにより、各受信アンテナの受信エリア別に、人間の動作を検知することができる。
【００１６】
（３）好ましくは、上記受信アンテナは、上記車両内の天井に設置される。
【００１７】
このような構成により、受信アンテナは、下方からの電波も受信しやすくなるため、人間が車両付近にかがんでいるような場合であっても、精度よく人間の動作を検知することができる。
【００１８】
また、車両用検知装置が複数の受信アンテナを備える場合には、車両内のレイアウトに大きく影響されることなく、複数の受信アンテナ同士を、互いに間隔を広くあけて設置することができるため、受信感度を向上させることができる。
【００１９】
また、受信アンテナを車両の天井の内装品の内側に設置し、ルーフ部分と内装品との間に配線を施すことができるため、車内の美観を損ねることがない。
【００２０】
（４）より好ましくは、上記送信アンテナは、上記車両内の天井に設置される。
【００２１】
このような構成により、送信アンテナは、下方へも電波を到達させやすくなるため、人間が車両付近にかがんでいるような場合であっても、精度よく人間の動作を検知することができる。
【００２２】
また、送信アンテナを車両の天井の内装品の内側に設置し、ルーフ部分と内装品との間に配線を施すことができるため、車内の美観を損ねることがない。
【００２３】
（５）より好ましくは、上記受信アンテナは、指向性アンテナである。
【００２４】
このような構成により、受信アンテナの指向性の方向を車両の外部方向とすることで、受信アンテナが、車両の外部において反射された電波を受信する確率を高めることができる。
【００２５】
（６）好ましくは、上記車両用検知装置は、４つの上記受信アンテナを備え、上記４つの受信アンテナは、上記車両における、右前方、右後方、左前方および左後方にそれぞれ設置される。
【００２６】
このように、間隔を広くあけて複数の受信アンテナを設置することにより、車両の周囲を各受信アンテナの受信エリアに区切ることができる。また、区切られた受信エリアごとに人間の動作を検知することにより、車両の周囲において人間の動作が検知されたエリアをさらに細かく特定することができる。
【００２７】
（７）好ましくは、上記車両用検知装置は、４つの上記受信アンテナを備え、上記４つの受信アンテナは、上記車両における、前方であって左右方向略中央、後方であって左右方向略中央、右側であって前後方向略中央および左側であって前後方向略中央にそれぞれ設置される。
【００２８】
このように、間隔を広くあけて複数の受信アンテナを設置することにより、車両の周囲を各受信アンテナの受信エリアに区切ることができる。また、区切られた受信エリアごとに人間の動作を検知することにより、車両の周囲において人間の動作が検知されたエリアをさらに細かく特定することができる。
【００２９】
また、車両の前方または後方から人間が接近する場合、車両の前方または後方に設置される各受信アンテナと接近する人間との距離が短いため、算出される空間特徴量が大きくなり、人間の動作を検知しやすい。
【００３０】
（８）より好ましくは、上記異常検知演算部は、算出した各上記空間特徴量に基づいて、上記人間の動作を検知した方向を、上記車両における、前方、後方、右側方または左側方のいずれに人間が存在するかを判別する。
【００３１】
このような構成により、運転席付近などといった特定のエリアだけでなく、車両の周囲の全域について、人間の動作が検知されたエリアを判別することができる。
【００３２】
（９）好ましくは、上記車両用検知装置は、さらに、上記異常検知演算部が上記人間の動作を検知した場合には、光による警告を行うための警告部を備える。
【００３３】
このような構成により、車両を目視している人間に対してのみ威嚇することができるため、車両の横を通りすぎる通行人に対して威嚇するという不都合を防ぐことができる。
【００３４】
（１０）好ましくは、上記警告部は、上記異常検知演算部が人間の動作を検知した場合には、上記車両の内部であって上記車両の外部から目視可能な位置に設置される警告灯を点灯させる。
【００３５】
このような構成により、車両の内部に関心のある人間に対してのみ威嚇することができる。
【００３６】
（１１）好ましくは、上記車両用検知装置は、さらに、上記車両の外部から目視可能であり、かつ上記車両の互いに異なる位置に複数設置される警告灯の点灯を制御するための警告部を備え、上記警告部は、複数の上記警告灯のうち、上記異常検知演算部が上記人間の動作を検知した電波の受信アンテナに対応する上記警告灯を点灯させる。
【００３７】
このような構成により、車両を目視している人間に対してのみ威嚇することができるため、車両の横を通りすぎる通行人に対して威嚇するという不都合を防ぐことができる。
【００３８】
また、監視されている感覚を不審者に与え、不審者に対する威嚇をより強化することができる。
【００３９】
（１２）好ましくは、上記異常検知演算部は、検知した人間の動作が所定の条件を満たす場合には、上記車両用検知装置において所定の電波の受信が検知されている場合を除き、上記人間は不審者であると判定する。
【００４０】
ここで、所定の電波は、たとえば車両のドライバーが所有するスマートキーから送信される電波である。このような構成により、たとえば車両のドライバーなど、威嚇の対象とすべきでない人間に対する威嚇を防ぐことができる。
【００４１】
（１３）好ましくは、上記車両用検知装置は、さらに、上記車両の照明の点灯を制御するための照明制御部を備え、上記照明制御部は、上記車両用検知装置において所定の電波の受信が検知されている場合には、前記照明を点灯させる。
【００４２】
ここで、所定の電波は、たとえば車両のドライバーが所有するスマートキーから送信される電波である。このような構成により、たとえば夜間に車両のドライバーが乗車する際にドライバーの足元を照らすなど、乗車の補助を行うことができる。
【００４３】
（１４）好ましくは、上記異常検知演算部は、人間の動作を検知した状態が所定時間以上継続した場合には、上記人間は不審者であると判定する。
【００４４】
このような構成により、簡易な判定処理で、車両の横を通り過ぎる通行人と不審者とを区別することができる。
【００４５】
（１５）好ましくは、上記異常検知演算部は、連続して複数の上記受信アンテナについて人間の動作を検知した場合には、上記人間は不審者であると判定する。
【００４６】
ここで、「連続して」とは、異常検知演算部が、たとえば車両の前方を通行する人間の動作と車両の後方を通行する他の人間の動作とを同時に検知した場合にまで、不審者を検知したと判断するのではないことを意味する。すなわち、異常検知演算部が、たとえば車両の後方で人間の動作を検知した後に、同一の人間の動作を車両の左側方で検知し、その後さらに、同一の人間の動作を車両の前方で検知するというように、一連の動きが認められる場合に不審者を検知したと判断するものである。
【００４７】
このような構成により、車両の横を通り過ぎる通行人と不審者との区別を、精度よく行うことができる。
【００４８】
（１６）好ましくは、上記異常検知演算部は、複数の上記受信アンテナのうち、第１の受信アンテナについて人間の動作を検知した後に、第２の受信アンテナについて人間の動作を検知し、その後再び、上記第１の受信アンテナについて人間の動作を検知した場合には、不審者を検知したと判断する。
【００４９】
このように、車両の周囲を行き来する人間の動作を検知することにより、車両の横を通り過ぎる通行人と不審者との区別を、精度よく行うことができる。
【００５０】
（１７）好ましくは、上記異常検知演算部は、同一の上記受信アンテナについて人間の動作を検知した状態が所定時間以上継続した場合には、上記人間は不審者であると判定する。
【００５１】
このように、車両の周囲の特定の場所に所定時間以上滞在している人間の動作を検知することにより、車両の横を通り過ぎる通行人と不審者との区別を、精度よく行うことができる。
【００５２】
（１８）好ましくは、上記異常検知演算部は、算出した上記空間特徴量が小さい場合には、上記車両の外部において人間の動作があったと判断し、算出した上記空間特徴量が大きい場合には、人間の前記車両内への侵入動作があったと判断する。
【００５３】
このような構成により、車両に接近する人間の動作と、車両内に侵入する人間の動作と、を区別することができる。また、車両に接近する人間の動作と、車両内に侵入する人間の動作と、を区別することによって、たとえば、車両に対する被害の危険度を段階的に分けることができ、不審者に対する威嚇および所有者または警備会社等に対する通報を、危険の度合いに応じて段階的に変化させることができる。
【００５４】
（１９）上記課題を解決するために、この発明のある局面に係わる異常検知方法は、車両内に設置される送信アンテナおよび受信アンテナを備える車両用検知装置における異常検知方法であって、上記送信アンテナから電波を送信するステップと、上記受信アンテナにおいて上記電波を受信するステップと、上記受信アンテナにおいて受信された上記電波に基づいて空間特徴量を算出するステップと、算出した上記空間特徴量に基づいて上記車両の外部における人間の動作および前記車両の内部への人間の侵入動作を検知するステップと、を含む。
【００５５】
このような構成により、車両が被害を受ける前に異常の発生を検知して被害を未然に防ぎ、かつ、車両内外における異常を的確に検知することができる。たとえば、犯罪者が車両に対して犯罪行為を開始する前に、犯罪者の車両への接近を検知することができるため、犯罪行為が行われる前に犯罪者に威嚇をして犯罪行為をあきらめさせるなど、犯罪を未然に抑制することができる。
【００５６】
（２０）上記課題を解決するために、この発明のある局面に係わる異常検知プログラムは、車両内に設置される送信アンテナおよび受信アンテナを備える車両用検知装置おいて用いられる異常検知プログラムであって、コンピュータに、上記送信アンテナから電波を送信するステップと、上記受信アンテナにおいて上記電波を受信するステップと、上記受信アンテナにおいて受信された上記電波に基づいて空間特徴量を算出するステップと、算出した上記空間特徴量に基づいて上記車両の外部における人間の動作および前記車両の内部への人間の侵入動作を検知するステップと、を実行させる。
【００５７】
このような構成により、車両が被害を受ける前に異常の発生を検知して被害を未然に防ぎ、かつ、車両内外における異常を的確に検知することができる。たとえば、犯罪者が車両に対して犯罪行為を開始する前に、犯罪者の車両への接近を検知することができるため、犯罪行為が行われる前に犯罪者に威嚇をして犯罪行為をあきらめさせるなど、犯罪を未然に抑制することができる。
【発明の効果】
【００５８】
本発明によれば、車両が被害を受ける前に異常の発生を検知して被害を未然に防ぎ、かつ、車両内外における異常を的確に検知することができる。
【図面の簡単な説明】
【００５９】
【図１】本発明の実施の形態に係る車両用検知装置の構成を示すブロック図である。
【図２】本発明の実施の形態に係る車両用検知装置の送信アンテナおよび受信アンテナの設置位置を示す図である。
【図３】本発明の実施の形態に係る車両用検知装置が搭載された車両の正面図である。
【図４】本発明の実施の形態に係る車両用検知装置の異常検知演算部の構成を示すブロック図である。
【図５】不審者である人間の動きの例を示す図である。
【図６】不審者である人間の動きの例を示す図である。
【図７】本発明の実施の形態に係る車両用検知装置が車両に発生する異常を検知し、不審者に対する威嚇を行う際の動作手順を示すフローチャート（その１）である。
【図８】本発明の実施の形態に係る車両用検知装置が車両に発生する異常を検知し、不審者に対する威嚇を行う際の動作手順を示すフローチャート（その２）である。
【図９】本発明の実施の形態の変形例に係る車両用検知装置の送信アンテナおよび受信アンテナの設置位置を示す図である。
【発明を実施するための形態】
【００６０】
［構成および基本動作］
以下、本発明の実施の形態について図面を用いて説明する。なお、図中同一または相当部分には同一符号を付してその説明は繰り返さない。
【００６１】
図１は、本発明の実施の形態に係る車両用検知装置１００の構成を示すブロック図であり、図２は、図１に示す送信アンテナ１および受信アンテナ２，３，４，５の設置位置を示す図であり、図３は、図２に示す車両５０の正面図である。
【００６２】
図１を参照して、本発明の実施の形態に係る車両用検知装置１００は、動体検知センサとして機能する。車両用検知装置１００として、電波を受信するための送信アンテナ１と、電波を受信するための受信アンテナ２，３，４，５と、人間の動作を検知する異常検知演算部６と、が図２に示す車両５０に設置されている。
【００６３】
車両用検知装置１００は、送信アンテナ１から一定間隔以内または連続的に送信される電波を受信アンテナ２，３，４，５で受信し、異常検知演算部６が当該電波に基づいて信号処理を行なうことにより、車両５０の外部における人間の動作および車両５０の内部への人間の侵入動作を検知する。
【００６４】
車両用検知装置１００は、アレイ式電波センサであり、電波伝搬の変化を利用して動体の検知機能を実現する。また、車両用検知装置１００が使用する電波は、原理上は周波数および帯域幅等に制約はない。
【００６５】
（送信アンテナおよび受信アンテナ）
図２および図３を参照して、送信アンテナ１は、無指向性アンテナであって、車両５０内に設置されている。具体的には、送信アンテナ１は、車室内に設置され、たとえば、天井の略中央部分であって内装品の内側に設置されている。
【００６６】
受信アンテナ２，３，４，５は、それぞれの受信エリアが異なるように、車両５０内の異なる位置に設置されている。具体的には、受信アンテナ２は、車両５０の右前方に設置される。受信アンテナ３は、車両５０の右後方に設置される。受信アンテナ４は、車両５０の左後方に設置される。受信アンテナ５は、車両５０の左前方に設置される。
【００６７】
より詳細には、受信アンテナ２，３，４，５は、図３に示すように、車室内の天井であって、内装品の内側に設置され、ルーフ部分と内装品との間において配線が施されている。受信アンテナ２，３，４，５は、指向性アンテナであって、指向性の方向が車両５０の外部方向となるように設置されている。
【００６８】
車両５０の内部においては、送信アンテナ１から送信される電波が、直接または反射して、受信アンテナ２，３，４，５によって受信される。車両５０の外部においては、送信アンテナ１から送信される電波が車両５０の窓などを通過して車両５０の外部に到達し、車両５０の周囲の人間または路面などによって反射する。そして、反射波は再び車両５０の窓などを通過して、受信アンテナ２，３，４，５によって受信される。
【００６９】
（異常検知演算部）
図４は、図１に示す異常検知演算部６の構成を示すブロック図である。図４を参照して、異常検知演算部６は、所定電波検知部１０ｂと、送信部１１と、受信部１２と、空間特徴量算出部１３と、検知部１４と、警告部１５と、照明制御部１６と、を備えている。
【００７０】
（ｉ）送信部および受信部
送信部１１は、所定周波数の電波を送信アンテナ１から送信する送信処理を行う。受信部１２は、受信アンテナ２，３，４，５において受信された電波から上記所定周波数の電波を抽出し、抽出した電波に対して所定の受信処理を行ってデジタル信号をそれぞれ生成し、空間特徴量算出部１３に出力する。
【００７１】
また、受信部１２は、受信アンテナ２，３，４，５において受信された電波を所定電波検知部１０ｂに出力する。所定電波検知部１０ｂは、受信アンテナ２，３，４，５において受信された電波が、所定の電波であるか否かを検知し、検知結果を検知部１４に出力する。ここで、所定の電波とは、たとえば車両５０のドライバーが所有するスマートキーから送信される電波である。
【００７２】
（ｉｉ）空間特徴量算出部
空間特徴量算出部１３は、受信アンテナ２，３，４，５に対応する各デジタル信号を受信部１２から受けて、これらのデジタル信号に基づいて、受信アンテナ２，３，４，５によって受信された電波のレベルおよび位相を算出する。そして、空間特徴量算出部１３は、算出結果に基づいて、受信アンテナ２，３，４，５によって受信された電波に基づく空間特徴量Ｐ（ｔ）を算出する。
【００７３】
より詳細には、空間特徴量算出部１３は、たとえば特許文献１に記載の構成と同様に、到来角分布を用いて空間特徴量Ｐ（ｔ）を抽出する。すなわち、空間特徴量算出部１３は、固有ベクトルの内積を算出することにより、空間特徴量Ｐ（ｔ）を抽出する。この内積は、比較基準となる初期ベクトルからの変化量を示す。初期ベクトルすなわち侵入者無しのときの固有ベクトルをｖｎｏとし、観測時ｔにおける固有ベクトルをｖｏｂ（ｔ）とすると、空間特徴量Ｐ（ｔ）は以下の式で表される。
Ｐ（ｔ）＝ｖｎｏ・ｖｏｂ（ｔ）
【００７４】
（ｉｉｉ）検知部
検知部１４は、空間特徴量算出部１３により算出された空間特徴量Ｐ（ｔ）に基づいて、受信アンテナ２，３，４，５の受信エリアにおける人間の動作を検知する。すなわち、検知部１４は、送信アンテナ１から送信される電波が帯域幅を持つか否かに応じて、以下に説明するような処理を行う。
【００７５】
（帯域幅を持たない電波が送信される場合）
送信アンテナ１から送信される電波が帯域幅を持たない場合、空間特徴量算出部１３は、４つの受信アンテナ２，３，４，５を２つずつの組み合わせ、具体的には、
組Ａ：受信アンテナ２と受信アンテナ３
組Ｂ：受信アンテナ３と受信アンテナ４
組Ｃ：受信アンテナ４と受信アンテナ５
組Ｄ：受信アンテナ５と受信アンテナ２
に分ける。
【００７６】
そして、空間特徴量算出部１３は、組Ａについて、受信アンテナ２，３によって受信された電波のレベルに基づいて、組Ａにおける空間特徴量Ｐ（ｔ）を算出する。また、空間特徴量算出部１３は、同様に、組Ｂ、組Ｃおよび組Ｄについて、それぞれ空間特徴量Ｐ（ｔ）を算出する。
【００７７】
検知部１４は、組Ａ，Ｂ，ＣおよびＤの組ごとに算出された空間特徴量Ｐ（ｔ）が閾値Ｔｈ１より大きいか否かをそれぞれ判断し、各組に対応するエリア別に人間の動作を検知する。そして、検知部１４は、各組に対応するエリアのうち人間の動作を検知したエリアを、車両５０への人間の接近方向として特定する。
【００７８】
すなわち、検知部１４は、組Ａについて人間の動作を検知した場合、人間の動作が検知されたエリアは車両５０の右側方であると特定する。また、検知部１４は、組Ｂについて人間の動作を検知した場合、人間の動作が検知されたエリアは車両５０の後方であると特定する。また、検知部１４は、組Ｃについて人間の動作を検知した場合、人間の動作が検知されたエリアは車両５０の左側方であると特定する。また、検知部１４は、組Ｄについて人間の動作を検知した場合、人間の動作が検知されたエリアは車両５０の前方であると特定する。
【００７９】
（帯域幅を持つ電波が送信される場合）
送信アンテナ１から送信される電波が帯域幅を持つ場合、たとえばインパルス応答が送信される場合、空間特徴量算出部１３は、受信アンテナ２，３，４，５によって受信された電波ごとにレベルおよび到着タイミングを算出し、これらの算出結果に基づいて、受信アンテナ２，３，４，５によって受信された電波ごとの空間特徴量Ｐ（ｔ）を算出する。
【００８０】
検知部１４は、受信アンテナ２，３，４，５において受信された電波ごとに算出された空間特徴量Ｐ（ｔ）が閾値Ｔｈ１より大きいか否かをそれぞれ判断し、受信アンテナ２，３，４，５の各受信エリア別に人間の動作を検知する。そして、検知部１４は、各受信エリアのうち人間の動作を検知したエリアを、車両５０への人間の接近方向として特定する。
【００８１】
また、検知部１４は、空間特徴量算出部１３が算出した空間特徴量Ｐ（ｔ）の大小に基づいて、車両５０の外部において人間の動作があったか、または、人間の車両５０内への侵入動作があったか、を判断する。
【００８２】
ここで、車両５０内に人間が侵入する際には、車両５０のドアの開閉または車両５０の窓ガラスの破損などが起きるため、この場合の空間特徴量Ｐ（ｔ）は、車両５０内への侵入動作がない場合と比較して大きくなる。一方、車両５０の外部で人間の動作がある場合には、空間特徴量Ｐ（ｔ）は小さくなる。
【００８３】
この相違を利用して、検知部１４は、空間特徴量Ｐ（ｔ）が閾値Ｔｈ２（Ｔｈ２＞Ｔｈ１）以下である場合には、車両５０の外部において人間の動作があったと判断し、空間特徴量Ｐ（ｔ）が当該閾値Ｔｈ２より大きい場合には、人間の車両５０内への侵入動作があったと判断する。
【００８４】
図５および図６は、不審者である人間の動きの例を示す図である。検知部１４は、以下に説明するように、検知した人間の動作が所定の条件を満たす場合には、動作が検知された人間は不審者であると判定し、車両５０の横を通り過ぎる通行人と不審者とを区別する。具体的には、検知部１４は、人間の動作を検知した状態が所定時間以上継続した場合には、動作を検知した人間は、車両５０の周囲に所定時間以上滞在しており、車両の横を通り過ぎる通行人ではなく不審者であると判定する。
【００８５】
また、他の判定方法としては、検知部１４は、連続して複数の受信アンテナから人間の動作を検知した場合には、動作を検知した人間は、不審者であると判定する。ここで、「連続して」とは、検知部１４が、たとえば車両５０の前方を通行する人間の動作と車両５０の後方を通行する他の人間の動作とを同時に検知した場合にまで、不審者を検知したと判断するのではないことを意味する。
【００８６】
すなわち、図５を参照して、検知部１４は、たとえば車両５０の後方で人間の動作を検知した後に、同一の人間の動作を車両５０の左側方で検知し、その後さらに、同一の人間の動作を車両５０の前方で検知するというように、一連の動きが認められる場合に不審者を検知したと判断する。
【００８７】
また、他の判定方法としては、検知部１４は、受信アンテナ２，３，４，５のうち、第１の受信アンテナについて人間の動作を検知した後に、第２の受信アンテナについて人間の動作を検知し、その後再び、第１の受信アンテナについて人間の動作を検知した場合には、不審者を検知したと判断する。
【００８８】
具体的には、図６を参照して、帯域幅を持たない電波が送信される場合、たとえば、検知部１４は、受信アンテナ２，３の組について人間の動作を検知した後に、受信アンテナ３，４の組について人間の動作を検知し、その後再び、受信アンテナ２，３の組について人間の動作を検知した場合、動作を検知した人間は車両５０の周囲を行き来しており、車両５０の横を通り過ぎる通行人ではなく不審者であると判定する。
【００８９】
また、他の判定方法としては、検知部１４は、同一の受信アンテナについて人間の動作を検知した状態が所定時間以上継続した場合には、動作を検知した人間は、車両５０の周囲の特定の場所、たとえば運転者席側のドア付近に所定時間以上滞在しており、車両の横を通り過ぎる通行人ではなく不審者であると判定する。
【００９０】
一方、検知部１４は、車両用検知装置１００において所定の電波の受信が検知されている場合には、動作が検知された人間は不審者ではないと判定する。ここで、車両５０は、たとえばスマートキーから送信される電波などである所定の電波を受信するための所定電波受信部１０ａを搭載する。すなわち、所定電波受信部１０ａは、スマートキーから送信された電波を受信してドアロックを解除するためのスマートキーシステムにおける受信部である。そして、所定の電波は、受信アンテナ２，３，４，５、または、所定電波受信部１０ａにおけるアンテナにおいて受信される。
【００９１】
そして、受信アンテナ２，３，４，５において所定の電波が受信された場合には、所定電波検知部１０ｂが、所定の電波を検知し、検知結果を検知部１４に出力する。また、所定電波受信部１０ａにより所定の電波が受信された場合には、所定電波受信部１０ａが、所定の電波を検知し、検知結果を検知部１４に出力する。
【００９２】
なお、車両５０に、所定電波受信部１０ａと所定電波検知部１０ｂとの両方が備えられている必要はなく、いずれか一方だけ備えられていればよい。
【００９３】
（ｉｖ）警告部
警告部１５は、検知部１４による検知結果を受けて、検知部１４が人間の動作を検知した場合には、光による警告を行う。詳細には、警告部１５は、車両５０の内部であって車両５０の外部から目視可能な位置に設置される前方警告灯７ａ，右側方警告灯７ｂ，左側方警告灯７ｃ，後方警告灯７ｄ（以下、これらを総称する場合には、「警告灯７」とする。）の点灯を制御する。
【００９４】
図２に示すように、前方警告灯７ａは、車両５０の前方のバックナンバー付近に設置されている。右側方警告灯７ｂは、車両５０の右側方のドアノブ付近に設置されている。左側方警告灯７ｃは、車両５０の左側方のドアノブ付近に設置されている。後方警告灯７ｄは、車両５０の後方のバックナンバー付近に設置されている。
【００９５】
警告灯７は、たとえば黄色または赤色などの色で点灯し、さらに、警告音を発生する。警告部１５は、検知部１４が人間の動作を検知した場合には、警告灯７が黄色に点灯するように制御し、検知部１４が不審者を検知した場合には、警告灯７が赤色に点灯するように制御する。また、警告部１５は、検知部１４が車両５０内への侵入動作を検知した場合には、警告灯７が赤色に点灯するとともに警告音を発生するように制御する。
【００９６】
また、警告部１５は、車両用検知装置１００において所定の電波の受信が検知され、検知部１４において動作が検知された人間は不審者ではないと判定された場合には、検知部１４が人間の動作を検知しても、警告灯７を点灯させない。ここで、所定の電波は、たとえば車両５０のドライバーが所有するスマートキーから送信される電波である。
【００９７】
（ｖ）照明制御部
照明制御部１６は、検知部１４による検知結果を受けて、車両５０に設けられている前方照明８ａ，右側方照明８ｂ，左側方照明８ｃ，後方照明８ｄ（以下、これらを総称する場合には、「照明８」とする。）の点灯を制御する。図２に示すように、前方照明８ａは、車両５０の前方のヘッドライドである。右側方照明８ｂは、車両５０の右側方のドア付近に設けられ、車両５０に乗り降りする際のドライバーの足元を照らすための照明設備である。左側方照明８ｃは、車両５０の左側方のドア付近に設けられ、車両５０に乗り降りする際のドライバーの足元を照らすための照明設備である。後方照明８ｄは、車両５０の後方のヘッドライドである。
【００９８】
照明制御部１６は、車両用検知装置１００において所定の電波の受信が検知されている場合には、照明８を点灯させる。本実施の形態では、照明制御部１６は、車両５０の周囲が照明８の点灯を必要とする程度に暗い場合であり、かつ、車両用検知装置１００において所定の電波の受信が検知されている場合には、検知部１４が人間の動作を検知した電波の受信アンテナに対応する照明を点灯させる。
【００９９】
ここで、車両５０は、たとえば光の明るさを検知する光検知センサ９を搭載し、光検知センサ９による検知結果を照明制御部１６が受けることにより、照明制御部１６が車両５０の周囲の明るさを判断する。
【０１００】
たとえば、照明制御部１６が、光検知センサ９によって車両５０の周囲が照明８の点灯を必要とする程度に暗いと判断した場合であって、受信アンテナ２および受信アンテナ３が車両５０のドライバーのスマートキーから送信される電波を受信している場合には、照明制御部１６は右側方照明８ｂを点灯させることによってドライバーの乗車を補助する。
【０１０１】
なお、照明８は、必ずしも複数設けられている必要はない。また、照明制御部１６は、検知部１４が人間の動作を検知した電波の受信アンテナに対応する照明が存在しない場合には、いずれの照明も点灯させない。
【０１０２】
また、上述した警告部１５は、検知部１４が人間の動作を検知した場合には、警告灯７だけでなく、照明８を制御して点灯させてもよい。
【０１０３】
［動作］
次に、本発明の実施の形態に係る車両用検知装置１００が車両５０に発生する異常を検知し、不審者に対する威嚇を行う際の動作について説明する。
【０１０４】
図７および図８は、本発明の実施の形態に係る車両用検知装置１００が車両５０に発生する異常を検知し、不審者に対する威嚇を行う際の動作手順を示すフローチャートである。
【０１０５】
車両用検知装置１００は、フローチャートの各ステップを含むプログラムを図示しないメモリから読み出して実行する。このプログラムは、外部からインストールすることができる。このインストールされるプログラムは、たとえば記録媒体に格納された状態で流通する。
【０１０６】
図７および図８を参照して、まず、異常検知演算部６の送信部１１が、所定周波数の電波の送信処理を行い、車両５０内の天井の略中央部分に設置された送信アンテナ１から電波が送信される（ステップＳ１）。
【０１０７】
次に、車両５０の内部で反射された電波または車両５０の外部で人間または路面などによって反射された電波が受信アンテナ２，３，４，５において受信され、異常検知演算部６の受信部１２が、受信された電波から上記所定周波数の電波を抽出し、抽出した電波に対して所定の受信処理を行う（ステップＳ２）。
【０１０８】
次に、異常検知演算部６の空間特徴量算出部１３が、受信部１２によって生成されたデジタル信号を受けて、受信アンテナ２，３，４，５が受けた電波に基づいて空間特徴量Ｐ（ｔ）を算出する（ステップＳ３）。そして、異常検知演算部６の検知部１４が、算出された空間特徴量Ｐ（ｔ）に基づいて人間の動作を検知する（ステップＳ４）。具体的には、検知部１４が、空間特徴量Ｐ（ｔ）が閾値Ｔｈ１より大きいか否かを判別する。
【０１０９】
ここで、検知部１４は、空間特徴量Ｐ（ｔ）が閾値Ｔｈ１以下である場合には（ステップＳ４で「ＮＯ」）、車両５０の内外において人間の動作がなかったと判断し、受信処理（ステップＳ２）に戻って同様の動作が繰り返される。
【０１１０】
一方、検知部１４は、空間特徴量Ｐ（ｔ）が閾値Ｔｈ１より大きい場合には（ステップＳ４で「ＹＥＳ」）、人間の動作を検知したと判断し（ステップＳ５）、前述のような方法を用いて、人間の動作を検知したエリアの特定を行う（ステップＳ６）。
【０１１１】
次に、検知部１４が、人間の動作を検知した時、所定の電波、たとえばスマートキーから送信された電波を受信中か否かを識別し（ステップＳ７）、識別結果を警告部１５および照明制御部１６に出力する。
【０１１２】
次に、照明制御部１６が、検知部１４から識別結果を受けて、人間の動作を検知した時、所定の電波を受信中である場合には（ステップＳ７で「ＹＥＳ」）、さらに光検知センサ９から、車両５０の周囲が照明８の点灯を必要とする程度に暗いか否かを示す検知結果を取得する（ステップＳ８）。
【０１１３】
次に、照明制御部１６が、車両５０の周囲が照明８の点灯を必要とする程度に暗い場合には（ステップＳ８で「ＹＥＳ」）、人間の動作を検知した電波の受信アンテナに対応する照明、たとえば前方のヘッドライトが点灯するように、照明８の点灯を制御する（ステップＳ９）。一方、車両５０の周囲が照明８の点灯を必要としない程度の明るさである場合には（ステップＳ８で「ＮＯ」）、受信処理（ステップＳ２）に戻って同様の動作が繰り返される。
【０１１４】
一方、人間の動作を検知した時、所定の電波を受信していない場合には（ステップＳ７で「ＮＯ」）、検知部１４が、検知した人間の動作が車両５０の外部の動作であるか、または、車両５０内への侵入動作であるかを判断する（ステップＳ１０）。具体的には、検知部１４が、空間特徴量Ｐ（ｔ）が閾値Ｔｈ２より大きいか否かを判別する。
【０１１５】
次に、検知部１４が、空間特徴量Ｐ（ｔ）が閾値Ｔｈ２以下である場合には（ステップＳ１０で「ＮＯ」）、検知した人間の動作が車両５０の外部での動作であると判断する（ステップＳ１１）。そして、警告部１５が、検知部１４から判断結果を受けて、人間の動作を検知した電波の受信アンテナに対応する警告灯が黄色に点灯するように、警告灯７の点灯を制御する（ステップＳ１２）。
【０１１６】
次に、検知部１４が、人間の動作を検知した状態の継続時間、および、人間の動作を検知したエリアに基づき、上述した種々の方法を用いて、動作を検知された人間が不審者であるか否かの判定を行う（ステップＳ１３）。
【０１１７】
そして、検知部１４が、動作を検知した人間が不審者ではないと判定した場合には（ステップＳ１３で「ＮＯ」）、受信処理（ステップＳ２）に戻って同様の動作が繰り返される。そして、空間特徴量算出部１３が空間特徴量Ｐ（ｔ）を算出し（ステップＳ３）、算出された空間特徴量Ｐ（ｔ）が閾値Ｔｈ１以下である場合、すなわち検知部１４によって人間の動作が検知されない場合には（ステップＳ４）、警告部１５が、黄色に点灯している警告灯が消灯するように警告灯７を制御する。
【０１１８】
一方、検知部１４が、動作を検知した人間が不審者であると判定した場合には（ステップＳ１３で「ＹＥＳ」）、警告部１５が、黄色に点灯している警告灯を赤色に点灯させる（ステップＳ１４）。
【０１１９】
また、検知部１４が、空間特徴量Ｐ（ｔ）が閾値Ｔｈ２より大きい場合には（ステップＳ１０で「ＹＥＳ」）、検知した人間の動作が車両５０内への侵入動作であると判断する（ステップＳ１５）。そして、警告部１５は、不審者への威嚇を一層強化するため、黄色に点灯している警告灯を赤色に点灯させるとともに、この警告灯が警告音を発生するように制御する（ステップＳ１６）。
【０１２０】
ところで、非特許文献２に記載の技術では、気体中において減衰しやすい超音波を使用しているため、車両外の人間の動きを検知することができず、車両が被害を受けるまで異常の発生を検知することができないという問題があった。
【０１２１】
これに対して、本発明の実施の形態に係る車両用検知装置１００では、車両５０内に設置され、電波を送信するための送信アンテナ１と、車両５０内に設置され、電波を受信するための受信アンテナ２，３，４，５と、が備えられている。また、車両用検知装置１００では、異常検知演算部６が備えられ、異常検知演算部６が、受信アンテナ２，３，４，５が受信した電波に基づいて空間特徴量Ｐ（ｔ）を算出し、算出した空間特徴量Ｐ（ｔ）に基づいて車両５０の外部における人間の動作および車両５０の内部への人間の侵入動作を検知する。
【０１２２】
このような構成により、車両５０が被害を受ける前に異常の発生を検知して被害を未然に防ぎ、かつ、車両５０内外における異常を的確に検知することができる。たとえば、犯罪者が車両５０に対して犯罪行為を開始する前に、犯罪者の車両５０への接近を検知することができるため、犯罪行為が行われる前に犯罪者に威嚇をして犯罪行為をあきらめさせるなど、犯罪を未然に抑制することができる。
【０１２３】
また、たとえば車両５０のドアの開閉または車両５０の窓ガラスの破損などを検知することができるため、車両５０に異常が発生したことを早期に所有者または警備会社等に通報することができる。
【０１２４】
また、本発明の実施の形態に係る車両用検知装置１００は、複数の受信アンテナを備え、異常検知演算部６は、受信アンテナ２，３，４，５において受信された電波に基づいて空間特徴量Ｐ（ｔ）を算出し、算出した空間特徴量Ｐ（ｔ）に基づいて車両５０への人間の接近方向を検知する。
【０１２５】
このような構成により、たとえば３本以上の受信アンテナを設置する場合、異常検知演算部６は２本の受信アンテナの組み合わせごとに空間特徴量Ｐ（ｔ）を算出し、車両５０の内外の人間の動作を検知することができるため、受信アンテナの組み合わせに対応する受信エリアを、人間の動作が検知されたエリアとして特定することができる。
【０１２６】
また、インパルス応答等、送信アンテナ１が帯域幅を持つ電波を送信する場合には、異常検知演算部６は各受信アンテナが受信した電波ごとに空間特徴量Ｐ（ｔ）を算出することにより、各受信アンテナの受信エリア別に、人間の動作を検知することができる。
【０１２７】
また、本発明の実施の形態に係る車両用検知装置１００は、４つの受信アンテナを備え、４つの受信アンテナは、車両５０における、右前方、右後方、左前方および左後方にそれぞれ設置される。
【０１２８】
このように、間隔を広くあけて複数の受信アンテナを設置することにより、車両５０の周囲を各受信アンテナ２，３，４，５の受信エリアに区切ることができる。また、区切られた受信エリアごとに人間の動作を検知することにより、車両５０の周囲において人間の動作が検知されたエリアをさらに細かく特定することができる。
【０１２９】
また、本発明の実施の形態に係る車両用検知装置１００では、異常検知演算部６は、算出した各空間特徴量Ｐ（ｔ）に基づいて、人間の動作を検知した方向を、車両５０における、前方、後方、右側方または左側方のいずれに人間が存在するかを判別する。
【０１３０】
このような構成により、運転席付近などといった特定のエリアだけでなく、車両５０の周囲の全域について、人間の動作が検知されたエリアを判別することができる。
【０１３１】
また、本発明の実施の形態に係る車両用検知装置１００では、受信アンテナ２，３，４，５は、車両５０内の天井に設置される。
【０１３２】
このような構成により、受信アンテナ２，３，４，５は、下方からの電波も受信しやすくなるため、人間が車両５０付近にかがんでいるような場合であっても、精度よく人間の動作を検知することができる。
【０１３３】
また、車両用検知装置１００が複数の受信アンテナを備える場合には、車両５０内のレイアウトに大きく影響されることなく、複数の受信アンテナ同士を、互いに間隔を広くあけて設置することができるため、受信感度を向上させることができる。
【０１３４】
また、受信アンテナ２，３，４，５を車両５０の天井の内装品の内側に設置し、ルーフ部分と内装品との間に配線を施すことができるため、車内の美観を損ねることがない。
【０１３５】
また、本発明の実施の形態に係る車両用検知装置１００では、送信アンテナ１は、車両５０内の天井に設置される。
【０１３６】
このような構成により、送信アンテナ１は、下方へも電波を到達させやすくなるため、人間が車両５０付近にかがんでいるような場合であっても、精度よく人間の動作を検知することができる。
【０１３７】
また、送信アンテナ１を車両５０の天井の内装品の内側に設置し、ルーフ部分と内装品との間に配線を施すことができるため、車内の美観を損ねることがない。
【０１３８】
また、本発明の実施の形態に係る車両用検知装置１００では、受信アンテナ２，３，４，５は、指向性アンテナである。
【０１３９】
このような構成により、受信アンテナ２，３，４，５の指向性の方向を車両５０の外部方向とすることで、受信アンテナ２，３，４，５が、車両５０の外部において反射された電波を受信する確率を高めることができる。
【０１４０】
また、本発明の実施の形態に係る車両用検知装置１００は、さらに、警告部１５を備え、警告部１５は、異常検知演算部６が人間の動作を検知した場合には、光による警告を行う。
【０１４１】
このような構成により、車両５０を目視している人間に対してのみ威嚇することができるため、車両５０の横を通りすぎる通行人に対して威嚇するという不都合を防ぐことができる。
【０１４２】
また、本発明の実施の形態に係る車両用検知装置１００では、警告部１５は、異常検知演算部６が人間の動作を検知した場合には、車両５０の内部であって車両５０の外部から目視可能な位置に設置される警告灯７を点灯させる。
【０１４３】
このような構成により、車両５０の内部に関心のある人間に対してのみ威嚇することができる。
【０１４４】
また、本発明の実施の形態に係る車両用検知装置１００は、さらに、車両５０の外部から目視可能であり、かつ車両５０の互いに異なる位置に複数設置される警告灯７の点灯を制御するための警告部１５を備え、警告部１５は、複数の警告灯７のうち、異常検知演算部６が人間の動作を検知した電波の受信アンテナに対応する警告灯７を点灯させる。
【０１４５】
このような構成により、車両５０を目視している人間に対してのみ威嚇することができるため、車両５０の横を通りすぎる通行人に対して威嚇するという不都合を防ぐことができる。
【０１４６】
また、監視されている感覚を不審者に与え、不審者に対する威嚇をより強化することができる。
【０１４７】
また、本発明の実施の形態に係る車両用検知装置１００では、異常検知演算部６は、検知した人間の動作が所定の条件を満たす場合には、車両用検知装置１００において所定の電波の受信が検知されている場合を除き、人間は不審者であると判定する。
【０１４８】
このような構成により、たとえば車両５０のドライバーなど、威嚇の対象とすべきでない人間に対する威嚇を防ぐことができる。
【０１４９】
また、本発明の実施の形態に係る車両用検知装置１００は、さらに、車両５０の照明の点灯を制御するための照明制御部１６を備える。照明制御部１６は、車両用検知装置１００において所定の電波の受信が検知されている場合には、照明８を点灯させる。
【０１５０】
このような構成により、たとえば夜間に車両５０のドライバーが乗車する際にドライバーの足元を照らすなど、乗車の補助を行うことができる。
【０１５１】
また、本発明の実施の形態に係る車両用検知装置１００では、異常検知演算部６は、人間の動作を検知した状態が所定時間以上継続した場合には、上記人間は不審者であると判定する。
【０１５２】
このような構成により、簡易な判定処理で、車両５０の横を通り過ぎる通行人と不審者とを区別することができる。
【０１５３】
また、本発明の実施の形態に係る車両用検知装置１００では、異常検知演算部６は、連続して複数の受信アンテナについて人間の動作を検知した場合には、上記人間は不審者であると判定する。
【０１５４】
すなわち、異常検知演算部６が、たとえば車両５０の後方で人間の動作を検知した後に、同一の人間の動作を車両５０の左側方で検知し、その後さらに、同一の人間の動作を車両５０の前方で検知するというように、一連の動きが認められる場合に不審者を検知したと判断するものである。
【０１５５】
このような構成により、車両５０の横を通り過ぎる通行人と不審者との区別を、精度よく行うことができる。
【０１５６】
また、本発明の実施の形態に係る車両用検知装置１００では、異常検知演算部６は、受信アンテナ２，３，４，５のうち、第１の受信アンテナについて人間の動作を検知した後に、第２の受信アンテナについて人間の動作を検知し、その後再び、第１の受信アンテナについて人間の動作を検知した場合には、不審者を検知したと判断する。
【０１５７】
このように、車両５０の周囲を行き来する人間の動作を検知することにより、車両５０の横を通り過ぎる通行人と不審者との区別を、精度よく行うことができる。
【０１５８】
また、本発明の実施の形態に係る車両用検知装置１００では、異常検知演算部６は、同一の受信アンテナについて人間の動作を検知した状態が所定時間以上継続した場合には、上記人間は不審者であると判定する。
【０１５９】
このように、車両５０の周囲の特定の場所に所定時間以上滞在している人間の動作を検知することにより、車両５０の横を通り過ぎる通行人と不審者との区別を、精度よく行うことができる。
【０１６０】
また、本発明の実施の形態に係る車両用検知装置１００では、異常検知演算部６は、算出した空間特徴量Ｐ（ｔ）が小さい場合には、車両５０の外部において人間の動作があったと判断し、算出した空間特徴量Ｐ（ｔ）が大きい場合には、人間の車両５０内への侵入動作があったと判断する。
【０１６１】
このような構成により、車両５０に接近する人間の動作と、車両５０内に侵入する人間の動作と、を区別することができる。また、車両５０に接近する人間の動作と、車両５０内に侵入する人間の動作と、を区別することによって、たとえば、車両５０に対する被害の危険度を段階的に分けることができ、不審者に対する威嚇および所有者または警備会社等に対する通報を、危険の度合いに応じて段階的に変化させることができる。
【０１６２】
なお、本発明の実施の形態に係る車両用検知装置１００は、受信アンテナは、送信アンテナから送信された電波の、直接波および車両５０の内部または外部において反射した反射波を受信することができればよく、必ずしも複数設置されている必要はない。この場合、送信アンテナ１からは、前述のような帯域幅を持つ電波等、受信側において電波の各伝搬経路の情報を取得可能なものを送信すればよい。
【０１６３】
また、本発明の実施の形態に係る車両用検知装置１００は、上述した態様に限られるものではなく、たとえば、警告部１５が、車両５０に人間が接近した際に「警戒中」と記した文字を赤く浮かび上がらせるなど、警告灯７が種々の態様の警告を行うように制御することができる。
【０１６４】
また、警告灯７による他の態様による警告としては、たとえば、警告部１５は、車両５０に人間が接近した際に、前方警告灯７ａ，右側方警告灯７ｂ，左側方警告灯７ｃ、および、後方警告灯７ｄがすべて点灯するように警告灯７を制御することができる。
【０１６５】
また、車両５０の周囲が明るい場合には、警告灯７の点灯が不審者に気づかれにくい。このため、警告部１５は、光検知センサ９から車両５０の周囲が照明８の点灯を必要としない程度に明るいという検知結果を取得した場合には、検知された人間の動作が車両５０の外部での動作であるとしても、警告灯７が警告音を発生するように制御してもよい。
【０１６６】
また、本発明の実施の形態に係る車両用検知装置１００は、車両５０に監視カメラなどを搭載し、検知部１４が不審者を検知した場合には、異常検知演算部６が、不審者が存在するエリアに監視カメラを向けて撮影を開始し、撮影した動画をドライバーの携帯端末等に送信するなどの構成を採用することができる。
【０１６７】
（変形例）
以下、本発明の実施の形態の変形例について図面を用いて説明する。なお、図中同一または相当部分には同一符号を付してその説明は繰り返さない。
【０１６８】
本発明の実施の形態の変形例に係る車両用検知装置１００は、上述した実施の形態に係る車両用検知装置１００と比較して、車両５０の内部に設置された受信アンテナ２，３，４，５の設置位置が異なるものである。
【０１６９】
図９は、本発明の実施の形態の変形例に係る車両用検知装置１００の送信アンテナ１および受信アンテナ２，３，４，５の設置位置を示す図である。
【０１７０】
図９を参照して受信アンテナ２，３，４，５は、それぞれの受信エリアが異なるように、車両５０内の異なる位置に設置されている。具体的には、受信アンテナ２は、車両５０の前方であって左右方向略中央に設置される。受信アンテナ３は、車両５０の右側であって前後方向略中央に設置される。受信アンテナ４は、車両５０の後方であって左右方向略中央に設置される。受信アンテナ５は、車両５０の左側であって前後方向略中央に設置される。
【０１７１】
より詳細には、受信アンテナ２，３，４，５は、図３に示すように、車室内の天井であって、内装品の内側に設置され、ルーフ部分と内装品との間において配線が施されている。また、受信アンテナ２，３，４，５は、指向性アンテナであって、指向性の方向が車両５０の外部方向となるように設置されている。
【０１７２】
受信アンテナ２，３，４，５が上述のような位置に設置されているため、検知部１４は、送信アンテナ１から送信される電波が帯域幅を持たない電波である場合、車両５０の周囲の各エリアにおける人間の動作を検知するための処理を以下のようにして行う。
【０１７３】
すなわち、送信アンテナ１から送信される電波が帯域幅を持たない場合、空間特徴量算出部１３は、４つの受信アンテナ２，３，４，５を３つずつの組み合わせ、具体的には、
組Ｅ：受信アンテナ２と受信アンテナ３と受信アンテナ４
組Ｆ：受信アンテナ３と受信アンテナ４と受信アンテナ５
組Ｇ：受信アンテナ４と受信アンテナ５と受信アンテナ１
組Ｈ：受信アンテナ５と受信アンテナ１と受信アンテナ２
に分ける。
【０１７４】
そして、空間特徴量算出部１３は、組Ｅについて、受信アンテナ２，３，４によって受信された電波のレベルに基づいて、組Ｅにおける空間特徴量Ｐ（ｔ）を算出する。また、空間特徴量算出部１３は、同様に、組Ｆ、組Ｇおよび組Ｈについて、それぞれ空間特徴量Ｐ（ｔ）を算出する。
【０１７５】
検知部１４は、組Ｅ，Ｆ，ＧおよびＨの組ごとに算出された空間特徴量Ｐ（ｔ）が閾値Ｔｈ１より大きいか否かをそれぞれ判断し、各組に対応するエリア別に人間の動作を検知する。そして、検知部１４は、各組に対応するエリアのうち人間の動作を検知したエリアを特定する。
【０１７６】
すなわち、検知部１４は、組Ｅについて人間の動作を検知した場合、人間の動作が検知されたエリアは車両５０の右側方であると特定する。また、検知部１４は、組Ｆについて人間の動作を検知した場合、人間の動作が検知されたエリアは車両５０の後方であると特定する。また、検知部１４は、組Ｇについて人間の動作を検知した場合、人間の動作が検知されたエリアは車両５０の左側方であると特定する。また、検知部１４は、組Ｈについて人間の動作を検知した場合、人間の動作が検知されたエリアは車両５０の前方であると特定する。
【０１７７】
上述のとおり、本発明の実施の形態の変形例に係る車両用検知装置１００は、４つの受信アンテナを備え、４つの受信アンテナは、車両５０における、前方であって左右方向略中央、後方であって左右方向略中央、右側であって前後方向略中央および左側であって前後方向略中央にそれぞれ設置される。
【０１７８】
このように、間隔を広くあけて複数の受信アンテナを設置することにより、車両５０の周囲を各受信アンテナ２，３，４，５の受信エリアに区切ることができる。また、区切られた受信エリアごとに人間の動作を検知することにより、車両５０の周囲において人間の動作が検知されたエリアをさらに細かく特定することができる。
【０１７９】
また、車両５０の前方または後方から人間が接近する場合、車両５０の前方または後方に設置される各受信アンテナと接近する人間との距離が短いため、算出される空間特徴量Ｐ（ｔ）が大きくなり、人間の動作を検知しやすい。
【０１８０】
その他の構成および動作は上述した実施の形態に係る車両用検知装置１００と同様であるため、ここでは詳細な説明を繰り返さない。
【０１８１】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０１８２】
１  送信アンテナ
２，３，４，５  受信アンテナ
６  異常検知演算部
７  警告灯
７ａ  前方警告灯
７ｂ  右側方警告灯
７ｃ  左側方警告灯
７ｄ  後方警告灯
８  照明
８ａ  前方照明
８ｂ  右側方照明
８ｃ  左側方照明
８ｄ  後方照明
９  光検知センサ
１０ａ  所定電波受信部
１０ｂ  所定電波検知部
１１  送信部
１２  受信部
１３  空間特徴量算出部
１４  検知部
１５  警告部
１６  照明制御部
５０  車両
１００  車両用検知装置
【図１】
0005978582.tif 000002
【図２】
0005978582.tif 000003
【図３】
0005978582.tif 000004
【図４】
0005978582.tif 000005
【図５】
0005978582.tif 000006
【図６】
0005978582.tif 000007
【図７】
0005978582.tif 000008
【図８】
0005978582.tif 000009
【図９】
0005978582.tif 000010